(57)【要約】【課題】手軽に、長期間に渡って継続的に使用することができ、ダイエット意識を向上させることができるエプロンを提供する。【解決手段】エプロン本体１１と、腰に巻いて係止することでエプロン本体１１を体に固定する腰紐１３とを有するエプロンにおいて、腰紐１３は、胴回りに一周させて係止する際の起点となり、起点であることが着用者に視認可能に設けられる起点部と、胴回りに一周させた後、起点部との重畳箇所に、前記起点からの長さに基づく情報が着用者に視認可能に設けられた目盛り１３２とを備える。【選択図】図２
2019157322.tif 000002
【特許請求の範囲】
【請求項１】
エプロン本体と、腰に巻いて係止することで前記エプロン本体を体に固定する腰紐とを有するエプロンにおいて、
前記腰紐は、
胴回りに一周させて係止する際の起点となり、起点であることが着用者に視認可能に設けられる起点部と、
胴回りに一周させた後、前記起点部との重畳箇所に、前記起点からの長さに基づく情報が着用者に視認可能に設けられた表示部と、
を備えることを特徴とするエプロン。
【請求項２】
請求項１に記載のエプロンであって、
前記腰紐は、前記起点部が、前記エプロン本体に着脱自在に固定され、前記起点部及び一端の間の範囲にある第１係止部と、前記表示部、又は、前記表示部及び他端の間の範囲にある第２係止部とが結ばれて係止されることを特徴とするエプロン。
【請求項３】
請求項１又は請求項２に記載のエプロンであって、
前記腰紐は、前記表示部で表示される情報が、前記起点からの長さ自体を含むことを特徴とするエプロン。
【請求項４】
請求項１〜３のいずれか一に記載のエプロンであって、
前記腰紐は、前記表示部で表示される情報が、前記起点からの長さと理想のウエストの長さとに基づいて類別されたダイエットの進捗に関する評価を含むことを特徴とするエプロン。
【請求項５】
請求項１〜４のいずれか一に記載のエプロンであって、
前記エプロン本体は、前記腰紐が挿通され、前記腰紐を腰に巻く際のガイドとなる紐通しを備えることを特徴とするエプロン。
【請求項６】
請求項１〜５のいずれか一に記載のエプロンであって、
前記腰紐は、前記起点部から他端方向に向かって所定の範囲にある固定部において、面ファスナー又はボタンによって、前記エプロン本体に着脱自在に固定されることを特徴とするエプロン。
【請求項７】
請求項６に記載のエプロンであって、
前記腰紐は、前記固定部において、面ファスナー又はボタンによって、前記エプロン本体に着脱自在に固定されることを特徴とするエプロン。
【発明の詳細な説明】
【技術分野】
【０００１】  使用者のダイエット意識を向上させることができるエプロンに関する。
【背景技術】
【０００２】  近年、多くの人がダイエットに興味を持っており、ダイエット効果を有し、手軽に使用できるダイエットアイテムの需要が高まりつつある。その１つに、例えば、特許文献１に開示された背中・二の腕スッキリエプロンがあり、このエプロンは、エプロンの肩掛け部分をストレッチゴムにすることで、背筋を伸ばし、背中の肉、二の腕を引き締めるといったダイエット効果を有する。また、特許文献２に開示されたダイエットスリッパは、スリッパの底部分を、バランスをとりにくい形状とすることで筋肉を鍛えることができ、底部分の表面をイボ状にすることで血行改善を促すことができるというダイエット効果を有する。【０００３】  一方、体重やウエストを日々測定することで、ダイエットの意識を高めるという方法もある。ウエスト部を簡単に測定できる用具としては、例えば、特許文献３、特許文献４に開示されたメジャーベルトがあり、ベルトの中央部分に測定部を設けることで、簡単に胴体部分を測定することができる。
【先行技術文献】
【特許文献】
【０００４】
【特許文献１】特開２００６−０８９８９７号公報
【特許文献２】特開２００５−３３４５９７号公報
【特許文献３】特開２０１１−２１９９０８号公報
【特許文献４】特開２００９−１３３０４２号公報
【発明の概要】
【発明が解決しようとする課題】
【０００５】  しかしながら、特許文献１、２に開示される発明は、体に負荷が掛かるため長期間に渡って継続的に使用することが難しいという問題点があった。また、特許文献３、４に開示される発明は、ベルトの態様であるため、使用者を選び、また、毎日同じベルトを使用するわけではないため、ダイエット意識の向上の観点からは好適であるとはいえなかった。【０００６】  本発明は、このような事情に鑑みてなされたものであり、その主な目的は、手軽に、長期間に渡って継続的に使用することができ、ダイエット意識を向上させることができるエプロンを提供することにある。
【課題を解決するための手段及び発明の効果】
【０００７】  本発明の第１の側面に係るエプロンは、エプロン本体と、腰に巻いて係止することで前記エプロン本体を体に固定する腰紐とを有するエプロンにおいて、前記腰紐は、胴回りに一周させて係止する際の起点となり、起点であることが着用者に視認可能に設けられる起点部と、胴回りに一周させた後、前記起点部との重畳箇所に、前記起点からの長さに基づく情報が着用者に視認可能に設けられた表示部と、を備えることを特徴としている。前記構成により、腰紐を胴回りに一周させることで簡単にかつ手軽にウエストの長さに基づく情報を得ることができる。すなわち、日常生活における料理や掃除等でエプロンを着用する際にウエストサイズを気にかける習慣がつくので、ダイエット意識を向上させることができる。
【０００８】  また、本発明の第２の側面に係るエプロンは、前記腰紐は、前記起点部が、前記エプロン本体に着脱自在に固定され、前記起点部及び一端の間の範囲にある第１係止部と、前記表示部、又は、前記表示部及び他端の間の範囲にある第２係止部とが結ばれて係止されることを特徴としている。前記構成により、第１係止部と第２係止部を結ぶことでエプロンを固定させることができ、さらに、第１係止部と第２係止部を結ぶ際、同時に、容易にウエストの長さに基づく情報を得ることができる。
【０００９】  さらにまた、本発明の第３の側面に係るエプロンは、前記腰紐は、前記表示部で表示される情報が、前記起点からの長さ自体を含むことを特徴としている。前記構成により、腰紐を胴回りに一周させる際に、起点部から重畳箇所の長さ、つまり、ウエストの長さを測定することができる。
【００１０】  さらにまた、本発明の第４の側面に係るエプロンは、前記腰紐は、前記表示部で表示される情報が、前記起点からの長さと理想のウエストの長さとに基づいて類別されたダイエットの進捗に関する評価を含むことを特徴としている。前記構成により、腰紐を結ぶ際に、第１係止部と交わる第２係止部に示される評価から、一目でダイエットの進捗状況を確認することができる。
【００１１】  さらにまた、本発明の第５の側面に係るエプロンは、前記エプロン本体は、前記腰紐が挿通され、前記腰紐を腰に巻く際のガイドとなる紐通しを備えることを特徴としている。前記構成により、エプロンに固定されていない側の腰紐を紐通しに挿通させることで、腰紐をエプロン本体に固定することができる。
【００１２】  さらにまた、本発明の第６の側面に係るエプロンは、前記腰紐は、前記起点部から他端方向に向かって所定の範囲にある固定部において、面ファスナー又はボタンによって、前記エプロン本体に着脱自在に固定されることを特徴としている。
【００１３】  さらにまた、本発明の第７の側面に係るエプロンは、前記腰紐は、前記固定部において、面ファスナー又はボタンによって、前記エプロン本体に着脱自在に固定されることを特徴としている。前記構成により、腰紐をエプロンから容易に取り外すことができるので、使用者は自身のウエストの長さに応じて腰紐の長さを簡単に調節することが可能である。
【図面の簡単な説明】
【００１４】
【図１】本実施の形態に係るエプロンの模式図である。
【図２】本実施の形態に係るエプロンの模式図である。
【図３】本実施の形態に係るエプロンの着用した状態を示す図であって、図３Ａは正面図、図３Ｂは背面図である。
【図４】理想のウエストの長さに基づいて類別されたダイエットの進捗に関する評価を含む腰紐の模式図である。
【発明を実施するための形態】
【００１５】  以下、本発明を適用した具体的な実施の形態について、図面を参照にしながら詳細に説明する。
【００１６】  本発明を適用した一実施例に係るエプロン１は、図１に示すように、エプロン本体１１、肩紐１２、腰紐１３、及び、紐通し１４で構成されるビブタイプのエプロンである。以下、各部材について詳細に説明する。
（エプロン本体１１）
【００１７】  エプロン本体１１は、図１及び図２に示すように、使用者の胸部から下半身にかけて覆うことが可能な形状に形成された布体であって、腰紐１３を着脱自在に固定するための面ファスナー１１１を中心から３５ｃｍの範囲で備える。また、エンプロン本体１１は、肩紐１２及び紐通し１４が縫い付けられ、面ファスナー１１１と腰紐１３の面ファスナー１３１とによって腰紐１３が取り付けられることで、エプロン１を形成する。
【００１８】  なお、エプロン本体１１は、前記構成に限定されない。例えば、使用者の腰回りを覆うことが可能な形状、すなわち、ウエストタイプのエプロンの本体形状であってもよく、この場合、肩紐１２は不要である。
（肩紐１２）
【００１９】  肩紐１２は、図３Ｂに示すように、着用時に、使用者の肩から背中にかけて交差するよう設けられる２本の平紐であって、エプロン本体１２に縫い付けられて固定される。
【００２０】  なお、肩紐１２は、前記態様に限定されない。例えば、肩紐１２は、使用者の肩から背中にかけて交差する態様でなく、使用者の首に掛けるような態様であってもよい。また、肩紐１２は、必ずしも、エプロン本体１２に縫い付けられる必要はなく、例えば、一端を面ファスナーで着脱自在に固着できるようにし、使用者の体格に合わせて肩紐１２の長さを調整できるようにしてもよい。
（腰紐１３）
【００２１】  腰紐１３は、図３Ａ、図３Ｂに示すように、着用時に、使用者の胴回りを一周され長手方向の両端部から４０ｃｍ（特許請求の範囲における「第１係止部」及び「第２係止部」の一例に対応する。）の範囲内で結ばれることで、エプロン本体１１を使用者に固定するために用いられる、使用者の理想のウエストサイズ（男性であれば、身長に０．４４を、女性であれば身長に０．３８を乗じた値）に８０ｃｍを加算した長さの平紐であって、１ｃｍ刻みの目盛り１３２（特許請求の範囲における「表示部」の一例に対応する。）と、目盛り１３２の０ｃｍ（特許請求の範囲における「起点部」の一例に対応する。）から３５ｃｍの間に配される面ファスナー１３１とを備える。腰紐１３は、面ファスナー１３１とエプロン本体１１の面ファスナー１１１とによってエプロン本体１１に取り付けられる。
【００２２】  前記構成により、使用者は、エプロンを着用するために腰紐１３を結ぶと共に、ウエストサイズを計測することができる。すなわち、日常生活における料理や掃除等でエプロンを着用する度に、ウエストサイズを気にかける習慣がつくので、ダイエット意識を向上させることができる。
【００２３】  また、エプロン本体１１と腰紐１３は容易に取り外し可能になっているため、使用者は自身のウエストの長さに応じて、腰紐１３を交換することで、使用者の体格に係わらず使用することができる。
【００２４】  また、腰紐１３は、目盛り１３２を用いて、正確なウエストサイズを測定する態様に限られず、色により一目でダイエットの進捗の評価が分かるような態様としてもよい。具体的には、図４に示すように、理想のウエストサイズの±４ｃｍの範囲（合格圏Ｅ１）を緑色、４〜１２ｃｍ（注意圏Ｅ２）を黄色、１２ｃｍ以上（要注意圏Ｅ３）を赤色で着色する。この態様であれば、一目で理想のウエストの長さに基づいて類別されたダイエットの進捗に関する評価を確認することができるので、より手軽にダイエット意識を向上させることができる。
【００２５】  なお、腰紐１３、面ファスナー１３１の長さは前述のものに限定されない。また、腰紐１３のエプロン本体１１への取り付け方法は、面ファスナー１１１、１３１によらず、例えば、ボタンを用いてもよい。さらにまた、腰紐１３は、一方の面に目盛り１３２、他方の面に色による評価（合格圏Ｅ１、注意圏Ｅ２、要注意圏Ｅ３）を設け、使い分け可能な態様としてもよい。
（紐通し１４）
【００２６】  紐通し１４は、図３に示すように、面ファスナー１１１、１３１によってエプロン本体１１に固定されていない範囲の腰紐１３を固定するための部材である。なお、紐通し１４は必ずしも設けなくてもよい。
【００２７】  以上説明したように、本発明を適用した一実施例に係るエプロン１は、日常生活において手軽に使用することができるので、ダイエット意識を向上させることができる。また、使用者の体に負荷が係らないので長期間に渡って継続的に使用することができる。
【００２８】  なお、本発明は前述した実施の形態のみに限定されるものではなく、本発明の要旨を逸脱しない範囲において種々の変更が可能であることは勿論である。
【符号の説明】
【００２９】１…エプロン
１１…エプロン本体
１１１…面ファスナー
１２…肩紐
１３…腰紐
１３１…目盛り
１４…紐通し
Ｅ１…安全圏；Ｅ２…注意圏；Ｅ３…要注意圏
【図１】
2019157322.tif 000003
【図２】
2019157322.tif 000004
【図３】
2019157322.tif 000005
【図４】
2019157322.tif 000006
【手続補正書】
【提出日】平成30年7月11日(2018.7.11)
【手続補正１】
【補正対象書類名】特許請求の範囲
【補正対象項目名】全文
【補正方法】変更
【補正の内容】
【特許請求の範囲】
【請求項１】
１枚のシート状物であって、着用者の身体に巻き付けられるエプロン本体と、腰に巻いて係止することで前記着用者の身体に巻き付けられたエプロン本体を体に固定する腰紐とを有するエプロンにおいて、
前記腰紐は、
胴回りに一周させて係止する際の起点となり、起点であることが着用者に視認可能に設けられる起点部と、
胴回りに一周させた後、前記起点部との重畳箇所に、前記起点からの長さに基づく情報が着用者に視認可能に設けられた表示部と、
を備え、
前記腰紐は、
前記起点部及び一端の間の範囲にある第１係止部と、前記表示部、又は、前記表示部及び他端の間の範囲にある第２係止部とが結ばれて係止され、
前記起点部から他端方向に向かって前記腰紐の短手方向の長さよりも長い範囲にある固定部において、前記エプロン本体に着脱自在に固定されることを特徴とするエプロン。
【請求項２】
請求項１に記載のエプロンであって、
前記腰紐は、前記表示部で表示される情報が、前記起点からの長さ自体を含むことを特徴とするエプロン。
【請求項３】
請求項１又は請求項２に記載のエプロンであって、
前記腰紐は、前記表示部で表示される情報が、前記起点からの長さと理想のウエストの長さとに基づいて類別されたダイエットの進捗に関する評価を含むことを特徴とするエプロン。
【請求項４】
請求項１〜３のいずれか一に記載のエプロンであって、
前記エプロン本体は、前記腰紐が挿通され、前記腰紐を腰に巻く際のガイドとなる紐通しを備えることを特徴とするエプロン。
【請求項５】
請求項１〜４のいずれか一記載のエプロンであって、
前記腰紐は、前記固定部において、面ファスナー又はボタンによって、前記エプロン本体に着脱自在に固定されることを特徴とするエプロン。
【手続補正２】
【補正対象書類名】明細書
【補正対象項目名】００２９
【補正方法】変更
【補正の内容】
【００２９】１…エプロン
１１…エプロン本体
１１１…面ファスナー
１２…肩紐
１３…腰紐
１３１…面ファスナー
１３２…目盛り
１４…紐通し
Ｅ１…安全圏；Ｅ２…注意圏；Ｅ３…要注意圏